(57)【特許請求の範囲】
【請求項１】
釣り針の軸を挟着するための割溝が本体に形成されているがん玉において、
割溝の溝底に平行な本体の側面が略平面状に形成されており、前記溝底から前記平面迄の肉厚が、割溝の側面の肉厚より小さい事を特徴とするがん玉。
【請求項２】
割溝の溝幅が、釣り針の軸の太さより大きい事を特徴とする請求項１に記載のがん玉。
【請求項３】
軸にがん玉が装着されているがん玉付き釣り針において、
がん玉の腰曲がり側平面が軸と略平行であり、軸から腰曲がり側平面迄の距離が、軸から腰曲がり側平面の反対側の端部迄の距離より小であることを特徴とするがん玉付き釣り針。
【請求項４】
割溝に挟持される軸の挟持面に角部が形成されており、がん玉の割溝内に配設された前記角部が割溝の内側面に食い込んでいることを特徴とする請求項３に記載のがん玉付き釣り針。
【請求項５】
軸が断面三角形に形成されていることを特徴とする請求項３又は４に記載のがん玉付き釣り針。
【発明の詳細な説明】
【０００１】
【発明の属する技術分野】
本発明は、通称噛み潰しと呼ばれるがん玉並びに該がん玉を装着したがん玉付き釣り針の改良に関するものである。
【０００２】
【従来の技術】
チヌの落とし込み或いは前打ちと呼ばれる釣り方では、噛み潰し、割りびし或いはがん玉(22)と呼ばれる重錘が釣り針(20)の軸(21)に装着され、餌として使用されるイガイのような２枚貝或いは蟹などに釣り針(20)を刺して使用する。
【０００３】
図９、１０は従来のがん玉(22)と軸(21)との関係を示す断面図である。図９において、がん玉(22)は略球状の鉛玉で、Ｖ形の割溝(23)が側面から中央部分迄形成されている。このがん玉(22)の割溝(23)に釣り針(20)の軸(21)を挿入し、ペンチ或いはプライヤでがん玉(22)を潰して割溝(23)で軸(21)を挟み込み、軸(21)にがん玉(22)を固定する。
【０００４】
処が、軸(21)の断面は円形であり且つ軸(21)は鉛であること、及び、軸(21)ががん玉(22)の中心に位置するように割溝(23)を形成していたため、しかも割溝(23)がＶ形で浅いため、がん玉(22)をいかに強く押し潰して軸(21)に挟着させたとしても挟持力が弱く、がん玉(22)が軸(21)に強固に固定されずグラグラすることが多く、最終的には抜けてしまうことがあったため、接着剤を併用しなければならないという問題点があった。また、球状のがん玉(22)では、腰曲がり側の突出部分(24)が(L2)と大きく、その分だけ釣り針(20)の腰曲がり(25)が狭くなり、餌に食いつこうとした魚が前記突出部分(24)に衝突してヒットし損なう可能性が大きくる。
【０００５】
【発明が解決しようとする課題】
本発明の課題は、接着剤を使用しなくとも釣り針の軸に強固に装着できるがん玉の開発にあり、更にはがん玉を装着しても腰曲がりが殆ど狭くならないがん玉付き釣り針の開発にある。
【０００６】
【課題を解決するための手段】
本発明の請求項１のがん玉(2)は「釣り針(a)の軸(1)を挟着するための割溝(3)が本体(2a)に形成されているがん玉(2)であって、割溝(3)の溝底(3a)に平行な本体(2a)の側面(2b)が平面状に形成されており、前記溝底(3a)から前記平面(2b)迄の肉厚(La)が、割溝(3)の側面の肉厚(Lb)より小さい」事を特徴とする。そして請求項２は「割溝(3)の溝幅(W)が、釣り針(a)の軸(1)の太さより大きい」事を特徴とする。
【０００７】
これによれば、溝底(3a)から前記平面(2b)迄の肉厚(La)が、割溝(3)の側面の肉厚(Lb)より小さいので、がん玉(2)を押し潰しやすく、しかも割溝(3)の溝幅(W)を釣り針(a)の軸(1)の太さより大きくしておけば、割溝(3)の溝底(3a)に平行な本体(2a)の側面(2b)が平面状に形成されている事と相俟って、軸(1)を前記平面(2b)近くまで挿入する事が出来、がん玉(2)の突出部分(2c)の突出代(La)が従来に比べて格段に小さく出来、釣り針(a)の腰曲がり(9)を狭くしない。その結果、魚の食いつきの邪魔にならず釣果の低下を招かない。
【０００８】
本発明の請求項３は「軸(1)にがん玉(2)が装着されているがん玉付き釣り針(A)であって、がん玉(2)の腰曲がり側平面(2b)が軸(1)と略平行であり、軸(1)から腰曲がり側平面(2b)迄の距離(La)が、軸(1)から腰曲がり側平面(2b)の反対側の端部(2d)迄の距離(Lc)より小である」ことを特徴とするもので、これによれば、前述のように、がん玉(2)の突出部分(2c)の突出代(La)が従来に比べて格段に小さく出来、釣り針(a)の腰曲がり(9)が狭くならず、釣果の低下を招かない。
【０００９】
請求項４は請求項３に記載のがん玉付き釣り針(A)の改良に関し「割溝(3)に挟持される軸(1)の挟持面に角部(4)が形成されており、がん玉(2)の割溝(3)内に配設され前記角部(4)が割溝(3)の内側面に食い込んでいる」ことを特徴とするものであり、請求項５は、その具体例で、「軸(1)が断面三角形に形成されている」ことを特徴とする。
【００１０】
これによれば軸(1)の側面に設けられた角部(4)ががん玉(2)の割溝(3)の内側面に食い込んでいるので、強固に固定されることになり、２枚貝の一種であるイガイの丁番部から口にかけて力を込めて釣り針(A)を差し込んだ時でもずれる事がなく使いやすい。
【００１１】
【発明の実施の形態】
以下、本発明を好適な実施例を用いて説明する。図１は釣り針(a)にがん玉(2)を装着した時の斜視図で、(1)は軸、(2)はがん玉で、軸(1)に固定されている。軸(1)に続く湾曲部分は腰曲がり(9)であり、(6)は針先、(7)はアゴ（戻り部）であり、(8)はリング部で、軸(1)の端部に形成され、釣り糸(10)と接続するための部分である。
【００１２】
軸(1)の一部或いは全部が、前記がん玉(2)との固定を堅固にするために異形に形成されており、本実施例の軸(1)に付いて言えば、例えば図２、３に示すように断面３角形、或いは図４に示すように正方形、（図示しないが長方形の場合も考えられる）、図５のように楕円又は凸レンズ型、図６に示すように軸(1)の一部を押し潰して耳状に突出させたものなどが例として挙げられる。勿論、断面が円形でもよいし、円形のものよりも係合力が増すものであればより好ましく、これ以外の形状のものも含まれる。軸(1)の角部を(4)で示す。角部(4)は軸(1)の全体に形成しても良いが、がん玉(2)が装着される部分のみに形成しても良い。
【００１３】
次に、がん玉(2)に付いて説明する。本実施例におけるがん玉(2)は厚肉半円板状（勿論、この形状に限られるものでなく、立方体、或いは直方体でもよく、溝底(3a)に平行な側面が平面状であればよい。）のもので、図２(イ)のように円弧側から平面(2b)に向かって割溝(3)が形成されており、溝底(3a)が平面(2b)に平行となるように形成されている。又、前記平面(2b)は完全な平面を意味するものでなく、従来例のように円弧状に突出していないという程度の意味であり、多少の凹凸や緩やかな凸曲面は当然含まれ、あくまでも魚の喰いつきの障害にならない程度のものという意味である。
【００１４】
溝幅(W)は、軸(1)が溝底(3a)迄押し込まれるように軸(1)の太さより大に形成されている。材質は一般的に鉛で形成されているが、射出成形或いは鋳造が可能であるため、アンチモンのような硬く且つ比重の大きい材料を使用する事も出来る。割溝(3)の内周面は、従来例のように平坦面であってもよいし、割溝(3)に沿って係合溝（図示せず）を形成してもよい。係合溝を形成する場合には、軸(1)の角部(4)の形状を生かせることが出来るような形状に成形する事が好ましい。
【００１５】
しかし、図２(ロ)に示すようにがん玉(2)の割溝(3)の溝底(3a)迄釣り針の軸(1)を挿入し、ペンチやプライヤのような工具でがん玉(2)を上から挟み付けて潰す。この時、がん玉(2)の割溝(3)の両側の肉厚(Lb)が溝底(3a)から平面(2b)迄の肉厚(La)より大きいので、溝底(3a)部分を押し潰しやすく、しかも軸(1)のがん玉(2)の取付部分には角部(4)が形成されているので、これが割溝(3)の内周面に食い込み、軸(1)にがん玉(2)が強固に固定される。軸(1)の断面が三角形の場合、鋭角の角部(4)が内周面に食い込む事になりしっかりとした固定がなされる。従って、接着剤の使用は不要となる。（勿論、接着剤の使用を妨げるものではないが。）
また、このように溝底(3a)迄軸(1)を入れ込んでからがん玉(2)を潰して固定するようにすると、軸(1)からの突出部分(2c)が従来の突出部分(L2)に比べて(La)と非常に小さくなり、釣り針(a)の腰曲がり(9)の幅を僅かに小さくするにすぎない。従って、がん玉付き釣り針(A)に付けた餌に魚が食いつこうとする場合に、がん玉(2)の突出部分(2c)に魚の口が接触しにくく、がん玉(2)を使用した事による障害を回避することが出来る。
【００１６】
角部(4)の更に他の例として、図６のような耳型の角部(4)の場合には、内周面に突き刺さるように入り込み、軸(1)の長手方向の移動をより確実に防止する。従って、図７のように角部(4)にギザギザ或いは凹凸(4a)を設けてもよい。
【００１７】
このようにしたがん玉(2)を軸(1)に固定し、イガイのような２枚貝やカニなどの餌にがん玉付き釣り針(A)を突き刺し、貝殻や甲羅とがん玉(2)とが接触する位置まで釣り針(A)を刺し通し、反対側から針先(6)を突出させる。このように餌を釣り針(A)に装着した後、例えば落とし込みや前打ちと呼ばれる釣り方でチヌ釣りを行う。
【００１８】
この時、がん玉(2)が軸(1)に堅固に装着されているので、餌に針先(6)を刺し通す際にグラグラせず扱い易い。また、前述のようにがん玉(2)の突出部分(2c)の突出量(La)が小さいので、がん玉(2)が釣果を低下させるような障害となることがない。
【００１９】
【発明の効果】
以上述べたように、本発明のがん玉では、腰曲がり側の突出代が従来に比べて格段に小さく出来るので、釣り針にがん玉を装着しても腰曲がりが狭くならず、魚の食いつきの邪魔をしない。また、割溝に挟持される軸の挟持面に角部を形成しておけば、角部が割溝の内側面に食い込んで強固に固定され、接着剤を用いなく硬い餌に釣り針を挿通する事が出来る。
【図面の簡単な説明】
【図１】本発明にかかるがん玉を軸に装着した釣り針の斜視図。
【図２】  (イ)は本発明にかかるがん玉の斜視図であり、(ロ)はがん玉の割溝に
軸を挿入した時の拡大断面図。
【図３】本発明にかかるがん玉を軸に固定した状態の拡大断面図。
【図４】本発明にかかる軸の第２実施例の断面図。
【図５】本発明にかかる軸の第３実施例の断面図。
【図６】本発明にかかる軸の第４実施例の断面図。
【図７】本発明にかかるがん玉を軸に装着した釣り針の他の実施例の斜視図。
【図８】従来例の斜視図
【図９】従来例のがん玉を軸に取り付ける前の拡大断面図。
【図１０】従来例のがん玉を軸に取り付けた後の拡大断面図。
【符号の説明】
(A) がん玉付き釣り針
(a) 釣り針
(1) 軸
(2) がん玉
(3) 割溝
(4) 角部
(6) 針先
(7) アゴ(返し部)
(8) リング部
【図１】
0003892978.tif 000002
【図２】
0003892978.tif 000003
【図３】
0003892978.tif 000004
【図４】
0003892978.tif 000005
【図５】
0003892978.tif 000006
【図６】
0003892978.tif 000007
【図７】
0003892978.tif 000008
【図８】
0003892978.tif 000009
【図９】
0003892978.tif 000010
【図１０】
0003892978.tif 000011